(57)【要約】      （修正有）【課題】アイドルストップ要求から内燃機関の完全停止までの間に再始動要求が発生した場合における、再始動の遅れ、もたつき感を緩和ないし解消する。【解決手段】アイドルストップ要求があったときに、内燃機関によってエアコンディショナのコンプレッサを駆動し、このコンプレッサの回転抵抗が高くなるのを待って燃料供給を遮断する。これにより、燃料供給の遮断後エンジン回転が速やかに低落することとなり、エンジン回転数が中途半端に高くクランキングが困難な期間を短縮することができる。【選択図】図２
2012117413.tif 000002
【特許請求の範囲】
【請求項１】
アイドリングストップ機能を実現する内燃機関の制御装置であって、
アイドリングストップを行う際にエアコンディショナのコンプレッサを作動させ、このコンプレッサの下流側の冷媒圧力が一定度合い以上に高まる所定の状況に至った後に燃料供給を遮断して内燃機関を停止させることを特徴とする内燃機関の制御装置。
【発明の詳細な説明】
【技術分野】
【０００１】
本発明は、アイドリングストップ機能を実現する内燃機関の制御装置に関する。
【背景技術】
【０００２】
信号待ち等、車両の一時停車時に内燃機関のアイドル回転を自動的に停止させ、燃費の向上を図るアイドリングストップシステムが既知である（例えば、下記特許文献を参照）。
【０００３】
アイドルストップ要求が発生し、気筒への燃料供給を遮断したとしても、内燃機関の回転が即座に停止するわけではない。アイドルストップ要求から内燃機関の完全停止までのタイムラグの間に再始動要求（典型的には、運転者がブレーキペダルから足を離し、またはアクセルペダルを踏み込む）が発生した場合において、エンジン回転数が依然十分に高い段階であれば、燃料供給を再開するだけで内燃機関を再始動可能である。エンジン回転数が停止寸前まで低下した段階であれば、スタータモータのピニオンギアをフライホイール（ＭＴ車）またはドライブプレート（ＡＴ車）外周のリングギアに噛合させ、クランキングにより内燃機関を再始動することができる。
【０００４】
しかしながら、エンジン回転数が中途半端に高い段階で再始動要求が発生すると、燃料供給を再開するだけでは再始動不可能であり、クランキングしようとしてもピニオンギアをリングギアに噛合させることが難しい。そのため、エンジン回転数のさらなる低下を待ってからクランキングによる再始動を試みることとなり、再始動の遅れ、もたつき感を運転者に与えてしまう。
【先行技術文献】
【特許文献】
【０００５】
【特許文献１】特開２００６−２５８０７８号公報
【発明の概要】
【発明が解決しようとする課題】
【０００６】
本発明は、アイドルストップ要求から内燃機関の完全停止までの間に再始動要求が発生した場合における、再始動の遅れ、もたつき感を緩和ないし解消することを所期の目的としている。
【課題を解決するための手段】
【０００７】
本発明では、アイドリングストップ機能を実現するものであって、アイドリングストップを行う際にエアコンディショナのコンプレッサを作動させ、このコンプレッサの下流側の冷媒圧力が一定度合い以上に高まる所定の状況に至った後に燃料供給を遮断して内燃機関を停止させることを特徴とする内燃機関の制御装置を構成した。
【０００８】
即ち、アイドルストップ要求があったときに、内燃機関によってコンプレッサを駆動し、コンプレッサの回転抵抗が高くなるのを待って燃料供給を遮断するのである。このようなものであれば、燃料カットに伴いエンジン回転が速やかに低落することとなり、クランキングが困難な期間を短縮することができる。
【発明の効果】
【０００９】
本発明によれば、アイドルストップ要求から内燃機関の完全停止までの間に再始動要求が発生した場合における、再始動の遅れ、もたつき感を緩和ないし解消することが可能である。
【図面の簡単な説明】
【００１０】
【図１】本発明の一実施形態における内燃機関の構成を示す図。
【図２】同実施形態の制御装置がプログラムに従い実行する処理の手順を示すフローチャート。
【図３】同実施形態の制御装置によるアイドルストップ制御の態様を示すタイミングチャート。
【発明を実施するための形態】
【００１１】
本発明の一実施形態を、図面を参照して説明する。図１に一気筒の構成を概略的に示した火花点火式内燃機関０は、例えば自動車に搭載されるものである。内燃機関０の吸気系１には、アクセルペダルの踏込量に応じて開閉するスロットルバルブ１１を設けており、スロットルバルブ１１の下流にはサージタンク１３を一体に有する吸気マニホルド１２を取り付けている。サージタンク１３には、吸気管内圧力（または、吸気負圧）を検出する圧力センサ７１を配している。
【００１２】
排気系５には、排気マニホルド５１を取り付け、排出ガス浄化用の三元触媒５２を装着している。そして、触媒５２の上流にフロントＯ2センサ５３を、下流にリアＯ2センサ５４を、それぞれ配している。Ｏ2センサ５３、５４は、排出ガスに接触して反応することにより、排出ガス中の酸素濃度に応じた電圧信号を出力する。
【００１３】
吸気系１と排気系５との間には、ＥＧＲ装置６を介設する。ＥＧＲ装置６は、始端が排気マニホルド５１に連通し終端がサージタンク１３に連通する外部ＥＧＲ通路６１と、ＥＧＲ通路６１上に設けた外部ＥＧＲバルブ６２とを要素としてなる。ＥＧＲバルブ６２を開放すれば、排出ガスを排気系５から吸気系１へと還流して吸気に混合する外部ＥＧＲを実現できる。
【００１４】
気筒２上部に形成される燃焼室の天井部（シリンダヘッド）には、吸気バルブ２１、排気バルブ２２、インジェクタ３及び点火プラグ２３を設ける。
【００１５】
内燃機関０の運転制御を司る電子制御装置（Ｅｌｅｃｔｒｏｎｉｃ  Ｃｏｎｔｒｏｌ  Ｕｎｉｔ）４は、中央演算装置４１、記憶装置４２、入力インタフェース４３、出力インタフェース４４等を有するマイクロコンピュータシステムである。
【００１６】
入力インタフェース４３には、吸気管内圧力を検出する圧力センサ７１から出力される吸気圧信号ａ、エンジン回転数を検出する回転数センサ７２から出力される回転数信号ｂ、車速を検出する車速センサ７３から出力される車速信号ｃ、アクセルペダルの踏込量（または、スロットルバルブ１１の開度）を検出するアクセルセンサ７４から出力されるアクセル信号ｄ、シフトポジションスイッチ７５から出力されるシフトポジション信号ｅ、冷却水の温度を検出する水温センサ７６から出力される水温信号ｆ、吸気カムシャフト９１の端部にあるタイミングセンサ９３から出力されるクランク角度信号及び気筒判別用信号ｇ、排気カムシャフト９２の端部にあるタイミングセンサ９４から２４０°ＣＡ（クランク角度）回転毎に出力される排気カム信号ｈ、フロントＯ2センサ５３から出力される上流側空燃比信号ｉ、リアＯ2センサ５４から出力される下流側空燃比信号ｊ、ブレーキペダルの踏込量を検出するブレーキセンサ７７から出力されるブレーキ信号ｋ等が出力される。エンジン回転数センサ７２は、クランクシャフトとともに回転する円板の外周に１０°ＣＡ毎に間欠的に形成した歯の通過を感知することでクランクシャフトの回転速度を知得するものである。
【００１７】
出力インタフェース４４からは、インジェクタ３に対して燃料噴射信号ｎ、点火プラグ８に対して点火信号ｍ、ＥＧＲバルブ６２に対してＥＧＲバルブ開度信号ｏ、内燃機関０のクランクシャフトとエアコンディショナのコンプレッサとの間を断接切換する電磁クラッチに対してクラッチ接続信号ｌ等を出力する。クラッチ接続信号ｌは、電磁クラッチに通電する電気回路を短絡／遮断するリレースイッチに入力され、このスイッチを短絡側に駆動する。
【００１８】
中央演算装置４１は、記憶装置４２に予め格納されているプログラムを解釈、実行し、内燃機関０の燃料噴射量や点火時期、気筒２に充填される吸気のＥＧＲ率（ＥＧＲガスの還流量）、エアコンディショナ等の制御を遂行する。
【００１９】
内燃機関０の運転制御において、ＥＣＵ４は、内燃機関０の運転制御に必要な各種情報ａ、ｂ、ｃ、ｄ、ｅ、ｆ、ｇ、ｈ、ｉ、ｊ、ｋを入力インタフェース４３を介して取得し、さらに現状の吸気量及び当該吸気のＥＧＲ率を推定して、それらに基づいて制御入力である燃料噴射量、燃料噴射時期、点火時期、ＥＧＲバルブ６２の開度（ＥＧＲステップ数）、エアコンディショナのコンプレッサの駆動の可否等を演算する。そして、演算した制御入力に対応した制御信号ｌ、ｍ、ｎ、ｏを、出力インタフェース４４を介して印加する。
【００２０】
その上で、本実施形態の制御装置たるＥＣＵ４は、アイドリングストップ機能を実現するための制御を実施する。
【００２１】
図２に、アイドリングストップに際してＥＣＵ４が実行する処理の手順を示す。ＥＣＵ４は、アイドルストップ要求が発生したとき（ストップＳ１）、クラッチ接続信号ｌを出力して、内燃機関０のクランクシャフトとエアコンディショナのコンプレッサとの間に介在する電磁クラッチを締結（ストップＳ２）、コンプレッサを作動させる。ステップＳ１では、例えば、車速が所定値（７ｋｍ／ｈ）以下で、冷却水温が所定以上高く、シフトポジションが走行レンジであり（ＡＴ車）、ブレーキペダルが踏まれている等の諸条件が成立したことを以て、アイドルストップ要求があったものと判定する。
【００２２】
電磁クラッチを締結する以前、つまりコンプレッサを停止している間は、エアーコンディショナの冷媒流路における、コンプレッサの下流側の冷媒の圧力は低下している。内燃機関０によってコンプレッサを駆動することにより、コンプレッサの下流側の冷媒圧力が上昇する。コンプレッサの下流側の冷媒圧力が一定度合い以上に高まった後（ステップＳ３）、インジェクタ３からの燃料噴射（及び、点火）を停止する（ステップＳ４）。ステップＳ３では、コンプレッサの駆動開始からの経過時間と、そのときのエンジン回転数との積からコンプレッサ下流側の冷媒圧力を推定し、推定冷媒圧力が所定閾値以上となったことを条件として、燃料カットステップＳ４に遷移する。
【００２３】
ステップＳ３を経てコンプレッサひいてはクランクシャフトの回転抵抗が高くなっていることから、ステップＳ４によりエンジン回転は速やかに低落する。図３に、エンジン回転数の低下の推移を例示する。図中、実線は本実施形態の制御によるエンジン回転数の低下を表し、破線は従来のシステムでのそれを表す。高位の所定回転数Ａは、燃料カットを終了することでスタータによるクランキングを行わずともエンジン回転をアイドル回転数（７００ないし８００ｒｐｍ）まで回復させることができる下限を示す。この回転数Ａは、アイドル回転数よりもやや低い。低位の所定回転数Ｂは、スタータのピニオンギアをフライホイール（ＭＴ車）またはドライブプレート（ＡＴ車）外周のリングギアに噛合させることができる上限を示す。回転数Ａと回転数Ｂとの間の領域は、燃料カットを終了するだけではエンジン回転を回復させることができず、ピニオンギアをリングギアに噛合させてクランキングを行うことも困難な領域である。
【００２４】
従来のシステムでは、アイドルストップ要求が発生したとき、エアーコンディショナのコンプレッサを作動させることなく燃料供給を遮断する。それ故、クランクシャフトは惰性で回転し続けようとし、エンジン回転数は比較的ゆっくりと低下する。これに対して、本実施形態では、アイドルストップ要求の発生時点ｔ0からエンジン回転が低下を始めるまでの期間は長くなる一方、エンジン回転が回転数Ａである時点ｔ1から回転数Ｂに低下する時点ｔ2までの期間は短くなる。要するに、クランキングが困難な回転数領域に留まる時間が短くなる。
【００２５】
しかして、再始動要求が発生したときには（ストップＳ５）、その時点でのエンジン回転数の高低に応じた再始動処理を実行する（ステップＳ６ないしＳ１２）。ステップＳ５では、例えば、車速が所定値以上に上昇した、シフトポジションが非走行レンジに変更された（ＡＴ車）、ブレーキペダルから足が離れた、アクセルペダルが踏まれた、または内燃機関０の停止から所定時間（３分）が経過したことを以て、再始動要求があったものと判定する。
【００２６】
再始動要求があった時点で、エンジン回転数が回転数Ａ以上である場合には（ステップＳ６）、クラッチ接続信号ｌの印加を停止してクランクシャフトとコンプレッサとを接続している電磁クラッチを切断し（ステップＳ７）、インジェクタ３からの燃料噴射（及び、点火）を再開する（ステップＳ８）ことで、エンジン回転をアイドル回転数近傍まで回復させることが可能である。
【００２７】
翻って、エンジン回転数が回転数Ｂ以下である場合（内燃機関０が完全に停止した段階を含む）には（ステップＳ９）、電磁クラッチを切断し（ステップＳ１０）、スタータモータのピニオンギアをフライホイール（ＭＴ車）またはドライブプレート（ＡＴ車）外周のリングギアに噛合させてクランキングを行う（ステップＳ１１）とともにインジェクタ３からの燃料噴射を再開する（ステップＳ１２）ことにより、内燃機関０を再始動することができる。
【００２８】
エンジン回転数が回転数Ｂ以上かつ回転数Ａ以下である場合には、エンジン回転数が回転数Ｂ以下となるまで待ち（ステップＳ９）、しかる後に再始動を行う（ステップＳ１０ないしＳ１２）。
【００２９】
本実施形態では、アイドリングストップ機能を実現する内燃機関０の制御装置４であって、アイドリングストップを行う際にエアコンディショナのコンプレッサを作動させ、このコンプレッサの下流側の冷媒圧力が一定度合い以上に高まる所定の状況に至った後に燃料供給を遮断して内燃機関０を停止させることを特徴とする制御装置４を構成した。本実施形態によれば、コンプレッサの回転抵抗に起因してエンジン回転が速やかに低落し、クランキングが困難な期間を短縮することが可能になる。従って、再始動要求が発生した場合における再始動の遅れ、もたつき感を緩和ないし解消することができる。クランキングが困難な期間に再始動要求が発生する確率も低下する。
【００３０】
なお、本発明は以上に詳述した実施形態に限られるものではない。特に、ステップＳ３では、コンプレッサの駆動開始からの経過時間とそのときのエンジン回転数との積を所定閾値と比較することとし、これが所定閾値以上となったときに燃料カットステップＳ４に遷移するものとしてもよい。あるいは、エアコンディショナの冷媒流路におけるコンプレッサの下流側の所定箇所に、冷媒圧力を検出する圧力センサを設けておき、このセンサを介して計測した実測冷媒圧力が所定閾値以上となったときに燃料カットステップＳ４に遷移するものとしてもよい。
【００３１】
その他、各部の具体的構成や具体的な処理の手順は、本発明の趣旨を逸脱しない範囲で種々変形が可能である。
【産業上の利用可能性】
【００３２】
本発明は、車両等に搭載される内燃機関の制御に適用することができる。
【符号の説明】
【００３３】
０…内燃機関
４…制御装置（ＥＣＵ）
【図１】
2012117413.tif 000003
【図２】
2012117413.tif 000004
【図３】
2012117413.tif 000005